(57)【要約】      （修正有）【課題】急角度の法面に遮水シートを展張する作業を機械化して、作業の効率化をはかることができる、遮水シート展張装置を提供する。【解決手段】遮水シート３を、移動可能な台車２の基台２２上に搭載した３列平行配置のローラ１１によって支持し、繰り出し機のシートロール３１から繰り出した遮水シートを、法面５ｂ、５ｃに沿わせて引き出して展張する。 【選択図】図１
0003200151.tif 000002
【実用新案登録請求の範囲】
【請求項１】
遮水シートを展張する領域の外方に配置した繰出機を駆動して、遮水シートを展張領域に展張することを特徴とする遮水シート展張方法。
【請求項２】
展張領域が法面であって、繰出機と遮水シートを、上記法面の下方または上方に配置するとともに、配置して遮水シートの展張を行う請求項１記載の遮水シート展張方法。
【請求項３】
請求項１記載の遮水シート展張方法に使用される遮水シート展張装置であって、遮水シートの繰出機が移動可能な台車上に搭載されたことを特徴とする遮水シート展張装置。
【考案の詳細な説明】
【技術分野】
【０００１】
この発明は、法面等の展張領域に、遮水シートを展張するための、新規な遮水シート展張方法と、それに用いる遮水シート展張装置に関するものである。
【背景技術】
【０００２】
この発明は、法面等の展張領域に、遮水シートを展張するための、新規な遮水シート展張方法と、それに用いる遮水シート展張装置に関するものである。
【先行技術文献】
【特許文献】
【０００３】
【特許文献１】実開昭59-１２４８６号公報、
【特許文献２】特開平１-２８４６０９号公報
【０００４】
たとえば巨大な穴を掘って産業廃棄物の最終処分場を造成する際には、穴中に投棄される産業廃棄物から有害物質が流出して、それが周囲の土壌や地下水等を汚染するのを防止すべく、上記穴の内面の全体に、高密度ポリエチレンシートやゴムシート等の遮水シートを展張する必要がある。
【０００５】
また、河川や池等の護岸工事、崖の補強工事、住宅地の造成工事等においては、コンクリートブロック壁や石垣等の恒久的な被覆処理を施す前の、一時的な崩落防止等のために、法面に、ビニルシート等の遮水シートが展張される。従来、上記のような遮水シートの展張は、手作業で行われていた。すなわち数人の作業員が、ロール状に巻回された遮水シートを人力によって繰り出し、所定の長さに切断した後、これを再びロール状に巻回して、展張場所まで運搬して展張していたのである。
【考案の概要】
【考案が解決しようとする課題】
【０００６】
たとえば産業廃棄物の最終処分場においては、穴の底等の平坦な場所であれば、上記のような手作業での遮水シートの展張は比較的容易であるが、底の周囲の法面は、産業廃棄物の収容量のこともあって、人が登るのが容易でない程の急角度になっており、そこへ、大きく重い遮水シートを手作業で展張するのは決して容易ではなく、多くの人数と時間を要し、効率的でなかった。
【０００７】
人が登るのが容易でない程の急角度になっていることが多い法面では、展張作業が容易でなく、効率的でなかった。そこで、遮水シートの展張作業を機械化すべく、法面の下方に配置した装置にセットした、ロール状に巻回された遮水シートを、法面の上方に配置した巻上機やクレーンを用いて、上記法面に沿わせて引き上げて展張すること（実開昭５９−１２４８６号公報）や、あるいは法面の上方と下方にそれぞれ配置した巻上機やクレーンによって、遮水シートを法面の所定の位置に展張すること（特開平１−２８４６０９号公報）等が提案されている。
【０００８】
しかし、上記いずれの方法を実施するにしても、法面の上方と下方の、それぞれの装置を設置する場所は、ともに足場が安定していなければならないが、実際の施工現場では、両方の場所に必ずしも安定した足場が確保できるとは限らず、もしいずれか一方でも十分な足場を確保できない場合には、上記の方法を全く実施できないため、依然として手作業に頼らざるをえないという問題があった。
【０００９】
この発明の目的は、たとえば法面等の展張領域の周囲に１個所でも安定した足場が確保できれば実施可能な、新規な遮水シート展張方法と、その実施のために好適に用いられる新規な遮水シート展張装置とを提供することにある。
【考案の効果】
【００１０】
以上、詳述したようにこの発明の遮水シート展張方法によれば、たとえば法面等の展張領域の周囲に１個所でも安定した足場が確保できれば、上記展張領域に、遮水シートを展張することができるので、遮水シートの展張を手作業から機械化できる可能性が飛躍的に向上するという特有の作用効果を奏する。またこの発明の遮水シート展張装置によれば、遮水シートの移動、供給から展張までの作業を全て簡素化できるため、遮水シート展張作業の、より一層の効率化をはかることが可能となる。
【課題を解決するための手段】
【００１１】
上記課題を解決するための、この発明の遮水シート展張方法は、遮水シートを展張する領域の外方に配置した繰出機を駆動して遮水シートを展張領域に展張することを特徴としている。
【００１２】
上記構成からなる、この発明の遮水シート展張方法によれば、遮水シートを展張する領域の周囲のいずれか１箇所、たとえば法面であればその下方または上方のいずれか一方に集中して配置できるため、この１個所でも安定した足場が確保できれば、上記展張領域に、遮水シートを展張することができる。よってこの発明の遮水シート展張方法によれば、従来の方法に比べて、遮水シートの展張を手作業を簡素化することができる。
【００１３】
また上記遮水シート展張方法を実施するための、この発明の遮水シート展張装置は、繰り出し機が、移動可能な台車上に搭載されたことを特徴としている。
【００１４】
上記装置によれば、遮水シートの移動、供給から展張までの作業を大幅に簡素化できるため、遮水シート展張作業の、より一層の効率化をはかることができる。
【図面の簡単な説明】
【００１５】
【図１】遮水シート展張方法とそれに用いる遮水シート展張装置
【図２】遮水シート展張方法
【図３】遮水シート展張装置３面図
【考案を実施するための形態】
【００１６】
以下に、この発明の遮水シート展張方法と、その実施に用いられる遮水シート展張装置とを、その実施の形態の一例を示す図１、図２を参照しつつ説明する。図の例の遮水シート展張装置は、ロール状に巻回された遮水シート３を繰り出す繰出機１を、自走式の台車２の、基台２２上に搭載したものである。
【００１７】
上記のうち繰出機１としては、手動式、電動式、あるいは内燃動力式等の、通常の繰出機が使用され、当該繰出機１が、基台２２上に配置されている。繰出機１は、上記基台２２の前方の位置に、それぞれ３列平行に配置した４本のローラ１１によって構成されている。
【００１８】
そして上記３列のローラ１１上にセットされ、遮水シート３のロール３１が、回転して、遮水シー３が繰り出されるように構成されている。なお、遮水シート３を繰り出させるには、上記各ローラ１１のうちの少なくとも１本を、繰出機１の作動にあわせて、動力によって自転させてもよいし、無動力で追従、回転させてもよい。
【００１９】
また図２にみるように、ローラ１１上にセットされるロール３１は、３本で１列のローラ１１よりも長いので、はみ出した部分が垂れ下がるのを防止すべく、前方に鉄芯３４を配置する。また、台車３の基台２２が十分に長い場合は、その両端部に受けロールを設けて、ロール３１のはみ出した部分が垂れ下がるのを防止してもよい。
【００２０】
ロール３１をローラー１１にセットする際、勢い余って飛び出さないよう、ローラー１１後方に安全策３３を配置する。またロール１１を装着時、脱落しないように可動式脱落防止装置３２で左右から挟み脱落を防止する。
【００２１】
台車２は、２条の無限軌道２１、２１を備えるとともに、この無限軌道２１、２１を駆動するための動力を有する自走式の台車本体２２と、この台車本体２３上に、水平方向に旋回可能に配置された、繰出機１を搭載した基台２２とで構成されている。
【００２２】
また走行装置として無限軌道２１を採用したのは、この遮水シート展張装置を使用する場所が、図のような平坦な面ばかりでなく、凹凸があったりぬかるんだりしていることの方が多いためである。つぎに、上記各部からなる遮水シート展張装置を用いたこの発明の遮水シート展張方法によって、たとえば図３に示す産業廃棄物の最終処分場の穴の内面に、遮水シートを展張する場合について説明する。
【００２３】
上記図３に一点鎖線で示すように、産業廃棄物の最終処分場の穴の造成は一般に、地平面６ａから、途中に設ける小段部６ｂ単位で１段ずつ掘り下げつつ行われ、各小段部６ｂ間の法面６ｃへの遮水シートの展張作業も、上記１段ずつの掘り下げの都度、実施される。そして、前記各部からなる遮水シート展張装置を用いて、上記産業廃棄物の最終処分場の穴の内面のうち、図１に示すように、当面の展張領域である新たに掘り下げられた法面６ｃに遮水シート５を展張するには、まず上記遮水シート展張装置を、当該法面６ｃの下方の、足場が安定した底面６ｄに移動させる。
【００２４】
つぎに、遮水シート展張装置の繰出機から繰り出したシートを人力で引き出し展張する。
【産業上の利用可能性】
【００２５】
なお、この発明の遮水シート展張方法および遮水シート展張装置の構成は、上記図の例には限定されない。たとえば図の装置の例では、前述したように台車４を無限軌道式としていたが、多数のゴムタイヤを備えたものとしてもよい。また上記台車４は自走式であったが、それ自体は動力を有さず、牽引車両によって牽引されるものとしてもよい。
【００２６】
また、たとえば法面の下方でなく上方に安定した足場が確保できる場合には、上記で説明した場合と上下関係を逆にして、つまり遮水シート展張装置を法面の上方に配置し、展張作業を行うこともできる。
【００２７】
その他、この発明の要旨を変更しない範囲で、種々の設計変更を施すことができる。
【符号の説明】
【００２８】
１    繰出機
１１  ローラ
２    台車
２１  無限軌道
２２  基台
３    遮水シート
３１  遮水シートロール
３２  脱落防止装置
３３  安全柵
３４  垂れ防止鉄棒
４１  モーター
４２  発電機
５a  地平面
５b  法面（展張領域）
５c  法面
５d  底面
５e  底面
６    繰出機
６１  ４本ローラ
７    台車
７１  無限軌道
７２    基台
８    遮水シート
８１  遮水シートロール
８２  脱落防止装置
８３  安全柵
８４  垂れ防止鉄棒
９１  モーター
９２  発電機
１０a  地平面
１０b  法面（展張領域）
１０c  法面
１０d  底面
１０e  底面
１１１  運転席
１１２  コクピット
【図１】
0003200151.tif 000003
【図２】
0003200151.tif 000004
【図３】
0003200151.tif 000005
【手続補正書】
【提出日】平成27年7月15日(2015.7.15)
【手続補正１】
【補正対象書類名】実用新案登録請求の範囲
【補正対象項目名】全文
【補正方法】変更
【補正の内容】
【実用新案登録請求の範囲】
【請求項１】
遮水シートの繰出機が移動可能な台車上に搭載されたことを特徴とする遮水シート展張装置。